(57)【要約】【課題】画像読取装置のＰｕｌｌスキャン機能を利用する情報処理装置において、タイムアウトが発生しやすくなることを防止すること。【解決手段】複合機１１０は、原稿から画像データを読み取る画像読取部１１１と、情報処理装置と通信を行う通信部１１８と、情報処理装置からの、画像データの読み取りを要求する画像読取要求を通信部１１８が受信したときに、画像読取部１１１が画像データを読み取ることができる通常待機状態よりも消費電力の少ない節電状態である場合には、画像読取部１１１が通常待機状態に復帰した後に、通信部１１８に指示して、画像読取要求に対する受付応答を情報処理装置へ送信させる応答部１２０とを備える。【選択図】図２
2014230070.tif 000002
【特許請求の範囲】
【請求項１】
原稿から画像データを読み取る画像読取部と、
情報処理装置と通信を行う通信部と、
前記情報処理装置からの、画像データの読み取りを要求する画像読取要求を前記通信部が受信したときに、前記画像読取部が画像データを読み取ることができる通常待機状態よりも電力の消費量の少ない節電状態である場合には、前記画像読取部が前記通常待機状態に復帰した後に、前記通信部に指示して、前記画像読取要求に対する受付応答を前記情報処理装置へ送信させる応答部と、を備えること
を特徴とする画像読取装置。
【請求項２】
前記画像読取部への電力の供給及び供給停止を行う電力供給部をさらに備え、
前記節電状態においては、前記電力供給部から前記画像読取部への電力の供給が停止されており、
前記応答部は、前記画像読取要求を前記通信部が受信したときに、前記電力供給部から前記画像読取部への電力の供給が停止されている場合には、前記電力供給部が前記画像読取部に電力の供給を開始して、前記画像読取部が画像データを読み取ることができる通常待機状態に復帰した後に、前記通信部に指示して、前記画像読取要求に対する受付応答を前記情報処理装置へ送信させること
を特徴とする請求項１に記載の画像読取装置。
【請求項３】
前記画像読取部で読み取られた画像データを画像処理して出力画像データを生成する画像処理部をさらに備え、
前記画像読取部は、前記通常待機状態に復帰した後に、原稿から画像データを読み取り、
前記応答部は、前記情報処理装置から、前記受付応答が受信された後に送信された、画像データの取得を要求する画像データ取得要求を前記通信部が受信した後に、前記通信部に指示して、前記画像処理部で生成された出力画像データを前記情報処理装置へ送信させること
を特徴とする請求項２に記載の画像読取装置。
【請求項４】
前記電力供給部から前記画像読取部への電力の供給状態を管理し、前記電力供給部から前記画像読取部への電力の供給及び供給停止を制御するとともに、前記画像読取部の通常待機状態への復帰を制御する節電状態管理部をさらに備え、
前記節電状態管理部は、前記通信部が前記画像読取要求を受信したときに、前記電力供給部が前記画像読取部への電力の供給を停止している場合には、前記電力供給部に前記画像読取部への電力の供給を開始させるとともに、前記画像読取部を前記通常待機状態に復帰させること
を特徴とする請求項２又は３に記載の画像読取装置。
【請求項５】
前記通信部で受信されたデータを解析する要求解析部をさらに備え、
前記節電状態管理部は、前記通信部が受信したデータが前記画像読取要求であると前記要求解析部が判断したときに、前記電力供給部が前記画像読取部への電力の供給を停止している場合には、前記電力供給部に前記画像読取部への電力の供給を開始させるとともに、前記画像読取部を前記通常待機状態に復帰させること
を特徴とする請求項４に記載の画像読取装置。
【請求項６】
前記要求解析部は、前記通信部で受信されたデータが前記画像読取要求であるときに、前記節電状態管理部に問い合わせることで、前記画像読取部に電力が供給されているか否かを確認し、前記画像読取部に電力が供給されていない場合に、前記節電状態管理部に復帰要求を行い、
前記節電状態管理部は、前記要求解析部からの前記復帰要求に応じて、前記電力供給部に前記画像読取部への電力の供給を開始させるとともに、前記画像読取部を前記通常待機状態に復帰させること
を特徴とする請求項５に記載の画像読取装置。
【請求項７】
前記通信部で受信されたデータを解析し、当該データが前記画像読取要求であるときに、前記節電状態管理部に復帰要求を行う要求解析部をさらに備え、
前記節電状態管理部は、前記要求解析部からの前記復帰要求に応じて、前記電力供給部に前記画像読取部への電力の供給を開始させるとともに、前記画像読取部を前記通常待機状態に復帰させること
を特徴とする請求項４に記載の画像読取装置。
【請求項８】
原稿から画像データを読み取る画像読取部と、
情報処理装置と通信を行う通信部と、
時間を計測する時計部と、
前記情報処理装置からの、画像データの読み取りを要求する画像読取要求を前記通信部が受信してから、前記時計部で計測された時間が予め定められた時間を経過した後に、前記通信部に指示して、前記情報処理装置へ前記画像読取要求に対する受付応答を送信させる応答部と、を備えること
を特徴とする画像読取装置。
【請求項９】
前記通信部で受信されたデータを解析して、当該データが前記画像読取要求であるときに、前記時計部に時間の計測を開始させて、前記時計部で計測された時間が前記予め定められた時間を経過した後に、前記応答部に前記受付応答の送信を指示する要求解析部をさらに備え、
前記応答部は、前記要求解析部からの指示に応じて、前記通信部に指示して、前記情報処理装置へ前記受付応答を送信させること
を特徴とする請求項７に記載の画像読取装置。
【請求項１０】
前記画像読取部で読み取られた画像データを画像処理して出力画像データを生成する画像処理部をさらに備え、
前記通信部で受信されたデータが前記画像読取要求であると前記要求解析部が判断したときに、前記画像読取部が画像データを読み取ることができる通常待機状態よりも電力の消費量の少ない節電状態である場合には、前記画像読取部は、画像データを読み取ることができる通常待機状態に復帰するとともに、原稿の画像データを読み取り、前記応答部は、前記情報処理装置から、前記受付応答が受信された後に送信された、画像データの取得を要求する画像データ取得要求を前記通信部が受信した後に、前記通信部に指示して、前記画像処理部で生成された出力画像データを前記情報処理装置へ送信させること
を特徴とする請求項９に記載の画像読取装置。
【請求項１１】
前記画像読取部への電力の供給及び供給停止を行う電力供給部をさらに備え、
前記通信部で受信されたデータが前記画像読取要求であると前記要求解析部が判断したときに、前記電力供給部から前記画像読取部への電力の供給が停止されている場合には、前記電力供給部は、前記画像読取部への電力の供給を開始し、前記画像読取部は、画像データを読み取ることができる通常待機状態に復帰するとともに、原稿の画像データを読み取り、前記応答部は、前記情報処理装置から、前記受付応答が受信された後に送信された、画像データの取得を要求する画像データ取得要求を前記通信部が受信した後に、前記通信部に指示して、前記画像処理部で生成された出力画像データを前記情報処理装置へ送信させること
を特徴とする請求項１０に記載の画像読取装置。
【請求項１２】
前記電力供給部から前記画像読取部への電力の供給状態を管理する節電状態管理部と、
前記電力供給部から前記画像読取部への電力の供給及び供給停止を制御するとともに、前記画像読取部の通常待機状態への復帰を制御する制御部と、をさらに備え、
前記制御部は、前記通信部で受信されたデータが前記画像読取要求であると前記要求解析部が判断したときに、前記節電状態管理部に問い合わせることで、前記画像読取部に電力が供給されているか否かを確認し、前記画像読取部に電力が供給されていない場合には、前記電力供給部に前記画像読取部への電力の供給を開始させるとともに、前記画像読取部を前記通常待機状態に復帰させること
を特徴とする請求項１１に記載の画像読取装置。
【請求項１３】
情報処理装置及び画像読取装置を備える画像読取システムであって、
前記画像読取装置は、
原稿から画像データを読み取る画像読取部と、
前記情報処理装置と通信を行う通信部と、
前記情報処理装置からの、画像データの読み取りを要求する画像読取要求を前記通信部が受信したときに、前記画像読取部が画像データを読み取ることができる通常待機状態よりも電力の消費量の少ない節電状態である場合には、前記画像読取部が前記通常待機状態に復帰した後に、前記通信部に指示して、前記画像読取要求に対する受付応答を前記情報処理装置へ送信させる応答部と、を備えること
を特徴とする画像読取システム。
【請求項１４】
情報処理装置及び画像読取装置を備える画像読取システムであって、
原稿から画像データを読み取る画像読取部と、
前記情報処理装置と通信を行う通信部と、
時間を計測する時計部と、
前記情報処理装置からの、画像データの読み取りを要求する画像読取要求を前記通信部が受信してから、前記時計部で計測された時間が予め定められた時間を経過した後に、前記通信部に指示して、前記情報処理装置へ前記画像読取要求に対する受付応答を送信させる応答部と、を備えること
を特徴とする画像読取システム。
【請求項１５】
情報処理装置からの、画像データの読み取りを要求する画像読取要求を受信する受信過程と、
前記受信過程で前記読取要求が受信されたときに、前記画像読取部が画像データを読み取ることができる通常待機状態よりも電力の消費量の少ない節電状態であるか否かを判断する電力供給状態判断過程と、
前記電力供給状態判断過程で、前記画像読取部が前記節電状態であると判断された場合に、前記画像読取部を、画像データを読み取ることができる通常待機状態に復帰させる復帰過程と、
前記画像読取部の通常待機状態への復帰が完了した後に、前記画像読取要求に対する受付応答を前記情報処理装置へ送信する受付応答送信過程と、を有すること
を特徴とする画像読取方法。
【請求項１６】
情報処理装置からの、画像データの読み取りを要求する画像読取要求を受信する受信過程と、
前記受信過程で前記読取要求が受信されてから計測された時間が予め定められた時間を経過した後に、前記画像読取要求に対する受付応答を前記情報処理装置へ送信する受付応答送信過程と、を有すること
を特徴とする画像読取方法。
【発明の詳細な説明】
【技術分野】
【０００１】
本発明は、画像読取装置、画像読取システム及び画像読取方法に関する。
【背景技術】
【０００２】
画像読取部を有する従来の画像読取装置は、電力供給が遮断された節電状態となっている画像読取部に原稿がセットされた時点で、画像読取部に電力供給を開始し、その後オペレータからの画像読取の操作の入力を受けて、節電状態から復帰された画像読取部に画像読取を実行させることで、オペレータの入力から画像読取を実行するまでの時間を短縮している（例えば、特許文献１参照）。
【先行技術文献】
【特許文献】
【０００３】
【特許文献１】特開２０１１−２５９０７７号公報
【発明の概要】
【発明が解決しようとする課題】
【０００４】
しかしながら、従来の技術は、画像読取装置の設置されている場所において、オペレータが、その画像読取装置に原稿をセットして、読取指示を入力することを前提としている。そのため、画像読取装置から離れた外部のクライアント端末の要求に応じて、画像読取装置が、画像読取を行い、読み取られた画像データをそのクライアント端末に送出する、いわゆるＰｕｌｌスキャン機能を使用する場合には、クライアント端末が画像データ取得要求を出力してから、画像データを取得するまでの時間を短縮することはできない。このため、画像読取部への電力供給が遮断されている節電状態において、Ｐｕｌｌスキャン機能が実行された場合、画像読取装置の能力次第では、クライアント端末においてタイムアウトが発生しやすくなるという問題がある。
そこで、本発明は、画像読取装置のＰｕｌｌスキャン機能を利用する情報処理装置において、タイムアウトが発生しやすくなることを防止することを目的とする。
【課題を解決するための手段】
【０００５】
本発明の一態様に係る画像読取装置は、原稿から画像データを読み取る画像読取部と、情報処理装置と通信を行う通信部と、前記情報処理装置からの、画像データの読み取りを要求する画像読取要求を前記通信部が受信したときに、前記画像読取部が画像データを読み取ることができる通常待機状態よりも電力の消費量の少ない節電状態である場合には、前記画像読取部が前記通常待機状態に復帰した後に、前記通信部に指示して、前記画像読取要求に対する受付応答を前記情報処理装置へ送信させる応答部と、を備えることを特徴とする。
【０００６】
本発明の他の態様に係る画像読取装置は、原稿から画像データを読み取る画像読取部と、情報処理装置と通信を行う通信部と、時間を計測する時計部と、前記情報処理装置からの、画像データの読み取りを要求する画像読取要求を前記通信部が受信してから、前記時計部で計測された時間が予め定められた時間を経過した後に、前記通信部に指示して、前記情報処理装置へ前記画像読取要求に対する受付応答を送信させる応答部と、を備えることを特徴とする。
【０００７】
本発明の一態様に係る画像読取システムは、情報処理装置及び画像読取装置を備える画像読取システムであって、前記画像読取装置は、原稿から画像データを読み取る画像読取部と、前記情報処理装置と通信を行う通信部と、前記情報処理装置からの、画像データの読み取りを要求する画像読取要求を前記通信部が受信したときに、前記画像読取部が画像データを読み取ることができる通常待機状態よりも電力の消費量の少ない節電状態である場合には、前記画像読取部が前記通常待機状態に復帰した後に、前記通信部に指示して、前記画像読取要求に対する受付応答を前記情報処理装置へ送信させる応答部と、を備えることを特徴とする。
【０００８】
本発明の他の態様に係る画像読取システムは、情報処理装置及び画像読取装置を備える画像読取システムであって、原稿から画像データを読み取る画像読取部と、前記情報処理装置と通信を行う通信部と、時間を計測する時計部と、前記情報処理装置からの、画像データの読み取りを要求する画像読取要求を前記通信部が受信してから、前記時計部で計測された時間が予め定められた時間を経過した後に、前記通信部に指示して、前記情報処理装置へ前記画像読取要求に対する受付応答を送信させる応答部と、を備えることを特徴とする。
【０００９】
本発明の一態様に係る画像読取方法は、情報処理装置からの、画像データの読み取りを要求する画像読取要求を受信する受信過程と、前記受信過程で前記読取要求が受信されたときに、前記画像読取部が画像データを読み取ることができる通常待機状態よりも電力の消費量の少ない節電状態であるか否かを判断する電力供給状態判断過程と、前記電力供給状態判断過程で、前記画像読取部が前記節電状態であると判断された場合に、前記画像読取部を、画像データを読み取ることができる通常待機状態に復帰させる復帰過程と、前記画像読取部の通常待機状態への復帰が完了した後に、前記画像読取要求に対する受付応答を前記情報処理装置へ送信する受付応答送信過程と、を有することを特徴とする。
【００１０】
本発明の他の態様に係る画像読取方法は、情報処理装置からの、画像データの読み取りを要求する画像読取要求を受信する受信過程と、前記受信過程で前記読取要求が受信されてから計測された時間が予め定められた時間を経過した後に、前記画像読取要求に対する受付応答を前記情報処理装置へ送信する受付応答送信過程と、を有することを特徴とする。
【発明の効果】
【００１１】
本発明の一態様によれば、画像読取装置のＰｕｌｌスキャン機能を利用する情報処理装置において、タイムアウトが発生しやすくなることを防止することができる。
【図面の簡単な説明】
【００１２】
【図１】実施の形態１及び２に係る画像読取システムの構成を示す概略図である。
【図２】実施の形態１における複合機の構成を概略的に示すブロック図である。
【図３】実施の形態１におけるクライアントＰＣの構成を概略的に示すブロック図である。
【図４】従来の複合機が、クライアントＰＣからの要求に応じてＰｕｌｌスキャン機能を実行する際の処理を示すシーケンス図である。
【図５】実施の形態１に係る画像読取システムでの処理を示すシーケンス図である。
【図６】実施の形態２における複合機の構成を概略的に示すブロック図である。
【図７】実施の形態２に係る画像読取システムでの処理を示すシーケンス図である。
【発明を実施するための形態】
【００１３】
実施の形態１．
（構成の説明）
図１は、実施の形態１に係る画像読取システム１００の構成を示す概略図である。
画像読取システム１００は、画像読取装置としての複合機１１０と、情報処理装置としてのクライアントＰＣ１３０とを備える。なお、複合機１１０と、クライアントＰＣ１３０とは、ネットワーク１５０に接続されており、相互にデータを送受信することができる。なお、図１の括弧内の符号は、実施の形態２における構成である。
【００１４】
図２は、複合機１１０の構成を概略的に示すブロック図である。
複合機１１０は、画像読取部１１１と、画像処理部１１２と、出力データメモリ１１３と、電力供給部１１４と、節電状態管理部１１５と、時計部１１６と、制御部１１７と、通信部１１８と、要求解析部１１９と、応答部１２０と、操作パネル１２１と、画像形成部１２２と、ＦＡＸ部１２３とを備える。
【００１５】
画像読取部１１１は、原稿から画像データを読み取る。
画像処理部１１２は、画像読取部１１１で読み取られた画像データに、画像変換及び加工等の画像処理を施すことで、出力画像データを生成する。
出力データメモリ１１３は、画像処理部１１２で処理された出力画像データを一時的に保管する。
【００１６】
電力供給部１１４は、複合機１１０を構成する各部単位で、電力の供給及び供給停止を行う。特に、電力供給部１１４は、画像読取部１１１への電力の供給及び供給停止を行う。例えば、電力供給部１１４は、複合機１１０が節電状態である場合には、予め定められた部分（例えば、画像読取部１１１、操作パネル１２１、画像形成部１２２及びＦＡＸ部１２３）への電力の供給を停止し、複合機１１０が通常状態である場合には、予め定められた部分への電力の供給を行う。ここで、複合機１１０が通常状態である場合には、予め定められた部分は、その機能を発揮することのできる通常待機状態か、その機能を発揮している動作状態となっている。一方、複合機１１０が節電状態である場合には、予め定められた部分も、節電状態となっている。なお、節電状態は、通常状態よりも消費電力が少ない状態である。
節電状態管理部１１５は、複合機１１０における電力の供給状態を管理して、複合機１１０の節電状態への移行及び通常状態への復帰を制御する。また、節電状態管理部１１５は、電力供給部１１４から複合機１１０を構成する各部への電力の供給状態を管理し、電力供給部１１４から当該各部への電力の供給及び供給の停止を制御するとともに、当該各部の節電状態への移行及び節電状態からの復帰を制御する。なお、節電状態管理部１１５は、電力供給部１１４から複合機１１０を構成する各部への電力の供給状態を節電状態記憶部としてのメモリ１１５ａに記憶することで管理する。
【００１７】
時計部１１６は、時間の計測を行う。
制御部１１７は、複合機１１０全体を制御する。例えば、制御部１１７は、時計部１１６により経過時間を計測して、予め定められた時問、複合機１１０の予め定められた機能が使用されていない場合に、節電状態管理部１１５に節電状態へ移行するように指示する。このような指示を受けて、節電状態管理部１１５は、電力供給部１１４に各部への電力供給を遮断するように指示する。このような指示を受けて電力供給部１１４は、例えば、画像読取部１１１、操作パネル１２１、画像形成部１２２及びＦＡＸ部１２３等の少なくとも何れか一つへの電力供給を遮断する。
通信部１１８は、データの送受信を行う。本実施の形態においては、通信部１１８は、ネットワーク１５０との間でデータの送受信を行う。
【００１８】
要求解析部１１９は、通信部１１８で受信されたデータを解析する。そして、要求解析部１１９は、通信部１１８で受信されたデータが要求である場合には、その要求を処理する。例えば、要求解析部１１９は、通信部１１８で受信されたデータがＰｕｌｌスキャン機能に関する要求であるか否かを解析して、その要求を処理する。本実施の形態においては、Ｐｕｌｌスキャン機能に関する要求には、画像データを読み取ることを要求する画像読取要求及び画像データの取得を要求する画像データ取得要求が含まれる。なお、本実施の形態においては、要求解析部１１９は、節電状態管理部１１５から、複合機１１０の節電状態を示す節電状態情報を取得するとともに、節電状態管理部１１５に対して、画像読取部１１１の節電状態の解除を要求することができる。
応答部１２０は、通信部１１８で受信された、Ｐｕｌｌスキャン機能に関する要求に対する応答を行う。例えば、応答部１２０は、クライアントＰＣ１３０からの、画像データの読み取りを要求する画像読取要求を通信部１１８が受信したときに、画像読取部１１１が画像データを読み取ることができる通常待機状態よりも消費電力の少ない節電状態である場合には、画像読取部１１１が画像データを読み取ることができる通常待機状態に復帰した後に、通信部１１８に指示して、クライアントＰＣ１３０へ画像読取要求に対する受付応答を送信させる。また、応答部１２０は、クライアントＰＣ１３０から、画像データの取得を要求する画像データ取得要求を通信部１１８が受信したときに、通信部１１８に指示して、画像処理部１１２で生成された出力画像データをクライアントＰＣ１３０に送信させる。
【００１９】
操作パネル１２１は、オペレータからの操作の入力を受け付ける入力部１２１ａと、画面を表示する表示部１２１ｂとを備える。
画像形成部１２２は、画像データに基づいて、媒体に画像の形成（例えば、印刷）を行う。
ＦＡＸ部１２３は、通信回線を介して、画像データを送受信する。
【００２０】
図３は、クライアントＰＣ１３０の構成を概略的に示すブロック図である。
クライアントＰＣ１３０は、通信部１３１と、記憶部１３２と、制御部１３３と、表示部１３８と、操作部１３９とを備える。
【００２１】
通信部１３１は、データの送受信を行う。本実施の形態においては、通信部１３１は、ネットワーク１５０との間でデータの送受信を行う。
記憶部１３２は、データの保存を行う。
【００２２】
制御部１３３は、クライアントＰＣ１３０全体を制御する。
ここで、制御部１３３は、記憶部１３２に記憶されている画像読取プログラムを読み込み、それを実行することにより、要求部１３４、応答処理部１３５、時計部１３６、及び、プログラム制御部１３７として機能する。
要求部１３４は、複合機１１０に送信する要求を生成し、通信部１３１に指示して、複合機１１０へその要求を送信させる。例えば、要求部１３４は、複合機１１０にＰｕｌｌスキャン機能の実行に関する要求として、画像データの読み取りを要求する画像読取要求と、画像データの取得を要求する画像データ取得要求とを生成する。
応答処理部１３５は、複合機１１０からの応答を解析し、その応答を処理する。例えば、通信部１３１が複合機１１０からの受付応答を受信した場合には、受付応答を受信したことをプログラム制御部１３７に通知する。また、通信部１３１が複合機１１０から出力画像データを受信した場合には、その出力画像データを記憶部１３２に記憶させる。
時計部１３６は、時間を計測する。例えば、本実施の形態においては、時計部１３６は、複合機１１０に送信した要求の送信後の経過時間を計測する。
プログラム制御部１３７は、画像読取プログラム全体を制御する。例えば、プログラム制御部１３７は、時計部１３６による時間計測により、要求送信後、応答処理部１３５から応答の通知が予め定められた時間ない場合には、応答タイムアウトと判断して、画像読取プログラムをエラー終了させる。
【００２３】
表示部１３８は、画面を表示する。
操作部１３９は、オペレータからの操作の入力を受け付ける。
【００２４】
以上に記載されたクライアントＰＣ１３０は、例えば、ＣＰＵ（Ｃｅｎｔｒａｌ  Ｐｒｏｃｅｓｓｉｎｇ  Ｕｎｉｔ）と、メモリと、ＨＤＤ（Ｈａｒｄ  Ｄｉｓｋ  Ｄｒｉｖｅ）等の外部記憶装置と、キーボードやマウス等の入力装置と、ディスプレイ等の出力装置と、通信ネットワークに接続するためのＮＩＣ（Ｎｅｔｗｏｒｋ  Ｉｎｔｅｒｆａｃｅ  Ｃａｒｄ）等の通信装置とを備えた一般的なコンピュータで実現できる。
例えば、通信部１３１は、ＣＰＵが通信装置を利用することで実現可能である。記憶部１３２は、ＣＰＵがメモリ又は外部記憶装置を利用することにより実現可能である。制御部１３３は、外部記憶装置に記憶されている所定のプログラムをメモリにロードしてＣＰＵで実行することで実現可能である。表示部１３８は、ＣＰＵが出力装置を利用することで実現可能である。操作部１３９は、ＣＰＵが入力装置を利用することで実現可能である。
この所定のプログラムは、通信装置を介してネットワークから、外部記憶装置にダウンロードされ、それから、メモリ上にロードされてＣＰＵにより実行されるようにしてもよい。また、この所定のプログラムは、通信装置を介してネットワークから、メモリ上に直接ロードされ、ＣＰＵにより実行されるようにしてもよい。
【００２５】
（動作の説明）
図４は、従来の複合機１７０が、クライアントＰＣ１３０からの要求に応じてＰｕｌｌスキャン機能を実行する際の処理を示すシーケンス図である。図４では、複合機１７０の画像読取部１７５は節電状態にあるものとする。
例えば、オペレータが操作部１３９にＰｕｌｌスキャンの実行を指示する操作を入力すると、操作部１３９は、プログラム制御部１３７に、そのような操作の入力があったことを通知する。プログラム制御部１３７は、要求部１３４に、画像読取要求の生成と送信を指示する。このような指示を受けた要求部１３４は、画像読取要求を生成し、通信部１３１に指示して、これを複合機１７０へと送信させる（Ｓ１０）。そして、通信部１３１が画像読取要求を送信すると、プログラム制御部１３７は、時計部１３６に計時を開始させる（Ｓ１１）。
【００２６】
画像読取要求を受信した複合機１７０では、要求解析部１７１が、画像読取要求を解析して、画像読取指示を制御部１７３に指示する（Ｓ１２）。また、応答部１７２が、画像読取の受付応答を返信する（Ｓ１３）。
【００２７】
画像読取の受付応答を受信したクライアントＰＣ１３０では、受信された受付応答が通信部１３１から応答処理部１３５に送られる。応答処理部１３５は、画像読取の受付応答を受信したことをプログラム制御部１３７に通知する。このような通知を受けたプログラム制御部１３７は、画像データ取得要求の生成と送信を要求部１３４に指示する。また、プログラム制御部１３７は、予め定められた応答タイムアウト時間内に、画像読取の受付応答を受け取った場合には、時計部１３６に計時を終了させる（Ｓ１４）。
プログラム制御部１３７から画像データ取得要求の生成及び送信の指示を受けた要求部１３４は、画像データ取得要求を生成し、通信部１３１に指示して、これを複合機１７０へと送信させる（Ｓ１５）。そして、通信部１３１が画像データ取得要求を送信した後、プログラム制御部１３７は、時計部１３６に計時を開始させる（Ｓ１６）。
【００２８】
ステップＳ１２で画像読取指示を受けた制御部１７３は、電源１７４に画像読取部１７５への電力供給の開始を指示する（Ｓ１７）。このような指示を受けた電源１７４は、画像読取部１７５に電力の供給を開始する（Ｓ１８）。また、制御部１７３は、画像読取部１７５に、原稿読み取り可能な通常待機状態への復帰を指示する（Ｓ１９）。
【００２９】
画像読取部１７５は、制御部１７３からの指示に応じて通常待機状態に復帰した場合には、制御部１７３に復帰応答を行う（Ｓ２０）。復帰応答を受けた制御部１７３は、画像読取部１７５に原稿から画像データを読み取るように指示する（Ｓ２１）。このような指示を受けた画像読取部１７５は、原稿から画像データを読み取り、予め定められた画像処理を行って、出力画像データを生成する。そして、出力画像データを図示しないメモリに記憶後、制御部１７３に、データの生成完了を通知する（Ｓ２２）。
【００３０】
このような通知を受けた制御部１７３は、応答部１７１に、出力画像データの生成完了を通知する（Ｓ２３）。このような通知を受けた応答部１７１は、メモリに記憶されている出力画像データを読み出して、図示しない通信部を介して、クライアントＰＣ１３０に送る（Ｓ２４）。
【００３１】
図４に示されているように、複合機１７０の画像読取部１７５は、節電状態にあるので、画像データの読み取りを開始させる前に、画像読取部１７５への電力供給を開始し（Ｓ１８）、画像読取開始可能な状態へ復帰させる処理（Ｓ１９、Ｓ２０）が必要となる。このため、画像読取部１７５が、節電状態にある場合には、出力画像データを送信するまでの時間は、ステップＳ２１からステップＳ２２までの通常の読取所要時間Ｔｃ１に、ステップＳ１７からステップＳ２０までの節電状態解除処理時間Ｔｒ１が上乗せされる。従って、クライアントＰＣ１３０の応答タイムアウト時間Ｔｔ１と、節電状態解除処理時間Ｔｒ１と、通常の読取所要時間Ｔｃ１との関係が、Ｔｔ１＜Ｔｒ１＋Ｔｃ１となる場合に、クライアントＰＣ１３０のプログラム制御部１３７は、タイムアウトエラーが発生したと判断してしまう。
【００３２】
一般的に、クライアントＰＣ１３０において、応答タイムアウト時間Ｔｔ１は、通常の読取所要時間Ｔｃ１に基づいて、設定されていることが多い。このため、節電状態解除処理時間Ｔｒ１が加算されると、プログラム制御部１３７においてタイムアウトエラーが発生したと判断してしまう可能性が高くなる。これに対して、本実施の形態では、以下のような対策を行っている。
【００３３】
図５は、実施の形態１に係る画像読取システム１００での処理を示すシーケンス図である。図５のシーケンス図は、複合機１１０内での処理を簡単に説明するため、複合機１１０内の６つの部分だけを表している。
【００３４】
まず、クライアントＰＣ１３０において、オペレータが操作部１３９にＰｕｌｌスキャンの実行を指示する操作を入力すると（Ｓ３０）、操作部１３９は、プログラム制御部１３７に、そのような操作の入力があったことを通知する。
【００３５】
プログラム制御部１３７は、要求部１３４に、画像読取要求の生成と送信を指示する。このような指示を受けた要求部１３４は、画像読取要求を生成し、通信部１３１に指示して、これを複合機１１０へと送信させる（Ｓ３１）。そして、通信部１３１が画像読取要求を送信した後、プログラム制御部１３７は、時計部１３６に計時を開始させる（Ｓ３２）。
【００３６】
画像読取要求を受信した複合機１１０では、通信部１１８が画像読取要求を要求解析部１１９に送り、要求解析部１１９がこの要求を解析する。要求解析部１１９は、受信された要求が画像読取要求であることを検出すると、節電状態管理部１１５に、画像読取部１１１の節電状態の取得を要求する節電状態取得要求を行う（Ｓ３３）。この時、複合機１１０は、節電状態にあり、画像読取部１１１への電力供給は遮断された状態にあるものとする。このため、節電状態管理部１１５は、その応答として画像読取部１１１が節電状態にあることを要求解析部１１９に通知する（Ｓ３４）。
【００３７】
画像読取部１１１が節電状態にあった場合、要求解析部１１９は、画像読取の開始要求を行う前に、節電状態管理部１１５に画像読取部１１１を節電状態から通常待機状態に復帰させるように要求する（Ｓ３５）。このような要求を受けた節電状態管理部１１５は、電力供給部１１４に画像読取部１１１への電力供給の開始を指示する（Ｓ３６）。このような指示を受けた電力供給部１１４は、画像読取部１１１への電力供給を開始する（Ｓ３７）。
【００３８】
次に、節電状態管理部１１５は、画像読取部１１１へ、画像読取を実行可能な通常待機状態に復帰するように指示する（Ｓ３８）。電力が供給され、通常待機状態への復帰を指示された画像読取部１１１は、初期化処理等を行い、画像読取が実行可能な通常待機状態に復帰する。そして、画像読取部１１１は、復帰が完了したら節電状態管理部１１５へ復帰応答を行う（Ｓ３９）。復帰応答を受けた節電状態管理部１１５は、要求解析部１１９へ復帰応答を行う（Ｓ４０）。
【００３９】
要求解析部１１９は、復帰応答を受けて、画像読取部１１１が通常待機状態に復帰したことを確認して、制御部１１７に画像読取開始要求を行う（Ｓ４１）。画像読取開始要求を受けた制御部１１７は、画像読取部１１１へ画像読取の開始を指示する（Ｓ４２）。
【００４０】
画像読取の開始指示を受けた画像読取部１１１は、既にステップＳ３８の復帰指示を受けて、通常待機状態に復帰しているため、通常通り原稿の読み取りを行う。読み取られた画像データは、画像処理部１１２で所望する形式に変換及び加工された後、出力画像データとして出力データメモリ１１３に格納される。なお、画像読取部１１１は、画像データの読み取りが完了すると、制御部１１７に出力画像データの生成が開始されたことを通知する（Ｓ４３）。出力画像データの生成が開始されたことを通知された制御部１１７は、要求解析部１１９に出力画像データの生成が開始されたことを通知する（Ｓ４４）。
【００４１】
ここで、ステップＳ４０で復帰応答を受け取り、画像読取部１１１が通常待機状態まで復帰したことを確認して、ステップＳ４１で制御部１１７に画像読取開始要求を伝えた要求解析部１１９は、応答部１２０にクライアントＰＣ１３０へ画像読取要求に対する受付応答を返すように指示する。このような指示を受けた応答部１２０は、画像読取要求に対する受付応答を生成し、通信部１１８に、生成された受付応答をクライアントＰＣ１３０へ送信するように指示する。このような指示を受けた通信部１１８は、その受付応答をクライアントＰＣ１３０に送信する（Ｓ４５）。
【００４２】
画像読取要求に対する受付応答を受信したクライアントＰＣ１３０では、通信部１３１が受信された受付応答を応答処理部１３５に与える。応答処理部１３５は、画像読取要求が複合機１１０に受け付けられたことをプログラム制御部１３７に通知する。プログラム制御部１３７は、このような通知を予め定められた応答タイムアウト時間内に受けた場合には、時計部１３６での計時を終了させる（Ｓ４６）。また、このような通知を受けたプログラム制御部１３７は、画像データの取得要求を行うように、要求部１３４に指示する。このような指示を受けた要求部１３４は、画像データ取得要求を生成し、生成された画像データ取得要求を複合機１１０へ送信するよう、通信部１３１に指示する。このような指示を受けた通信部１３１は、画像データ取得要求を複合機１１０に送信する（Ｓ４７）。そして、通信部１３１が画像データ取得要求を送信した後、タイムアウトが発生したと判断せずに、プログラム制御部１３７は、時計部１３６に計時を開始させる（Ｓ４８）。
【００４３】
画像データ取得要求を受信した複合機１１０は、通信部１１８が受信された画像データ取得要求を要求解析部１１９に与える。要求解析部１１９は、受け取った要求を解析して、受け取られた要求が画像データ取得要求であることを検出すると、出力画像データの生成が開始されたことの通知を受けるまで待機する。そして、ステップＳ４４で、そのような通知を受けると、要求解析部１１９は、応答部１２０に出力画像データの送信を指示する。このような指示を受けた応答部１２０は、出力データメモリ１１３から出力画像データを読み出して、通信部１１８にその出力画像データをクライアントＰＣ１３０へ送信するように指示する。このような指示を受けた通信部１１８は、クライアントＰＣ１３０へ出力画像データを送信する（Ｓ４９）。
【００４４】
出力画像データを受信したクライアントＰＣ１３０では、通信部１３１が受信された出力画像データを応答処理部１３５に与える。応答処理部１３５は、受け取った出力画像データを記憶部１３２に保存し、応答画像データを受信したことをプログラム制御部１３７に通知する。プログラム制御部１３７は、このような通知を予め定められた応答タイムアウト時間内に受けた場合には、タイムアウトが発生したと判断せずに時計部１３６での計時を終了させる（Ｓ５０）。
【００４５】
以上のように、実施の形態１に係る画像読取システム１００では、複合機１１０が節電状態にあり、画像読取部１１１への電力供給が遮断された状態で、複合機１１０がクライアントＰＣ１３０から画像読取要求を受けた場合でも、クライアントＰＣ１３０からの画像データ取得要求を受けてから、出力画像データを応答するまでの所要時間は、非節電状態で画像読取要求を受けた場合と同様となる。その結果、節電状態であることが原因で、画像データ取得要求を行ったクライアントＰＣ１３０を長時間待たせることがなくなり、クライアントＰＣ１３０のプログラム制御部１３７が、応答タイムアウトでエラー終了することなく、出力画像データを受け取ることができる。
【００４６】
以上に記載された実施の形態１では、要求解析部１１９は、画像読取部１１１が節電状態にあることを確認して、節電状態の解除処理を行っているが、このような例に限定されるものではない。例えば、要求解析部１１９は、画像読取部１１１が節電状態であるか否かにかかわらず、画像読取部１１１に節電状態の解除要求を行ってもよい。このような場合、画像読取部１１１が節電状態ではないときには、例えば、図５に記載されているステップＳ３４における復帰要求に対して、節電状態管理部１１５から即座に復帰応答が返り、以降は同様に処理されることとなる。
【００４７】
実施の形態２．
（構成の説明）
図１に示されているように、実施の形態２に係る画像読取システム２００は、画像読取装置としての複合機２１０と、情報処理装置としてのクライアントＰＣ１３０とを備える。実施の形態２に係る画像読取システム２００は、複合機２１０において、実施の形態１に係る画像読取システム１００と異なっている。
【００４８】
図６は、複合機２１０の構成を概略的に示すブロック図である。
複合機２１０は、画像読取部１１１と、画像処理部１１２と、出力データメモリ１１３と、電力供給部１１４と、節電状態管理部２１５と、時計部１１６と、制御部２１７と、通信部１１８と、要求解析部２１９と、応答部１２０と、操作パネル１２１と、画像形成部１２２と、ＦＡＸ部１２３とを備える。
【００４９】
節電状態管理部２１５は、複合機２１０における電力の供給状態を管理する。ここで、実施の形態１における節電状態管理部１１５は、節電状態へ移行させる処理及び節電状態からの復帰処理も行っていたが、実施の形態２における節電状態管理部２１５は、これらの処理を行わない。実施の形態２では、これらの処理は、制御部２１７が行う。なお、節電状態管理部２１５は、電力供給部１１４から複合機１１０を構成する各部への電力の供給状態を節電状態記憶部としてのメモリ２１５ａに記憶することで管理する。
【００５０】
要求解析部２１９は、通信部１１８で受信された、Ｐｕｌｌスキャン機能に関する要求を解析して、解析された要求を処理する。実施の形態１における要求解析部２１９は、節電状態管理部２１５から複合機２１０の節電状況に関する情報を取得して、画像読取部１１１の節電状態の解除を要求する処理等を行っているが、実施の形態２における要求解析部２１９は、このような処理を行わない。実施の形態２では、このような処理は、制御部２１７が行う。
実施の形態２における要求解析部２１９は、制御部２１７に画像読取開始の要求を行った後、時計部１１６を使用して、時間計測を行い、予め定められた時間が経過した場合には、応答部１２０にクライアントＰＣ１３０へ画像読取要求に対する受付応答を返すように指示する。従って、応答部１２０は、クライアントＰＣ１３０からの、画像データの読み取りを要求する画像読取要求を通信部１１８が受信してから、時計部１１６で計測された時間が予め定められた時間を経過した後に、通信部１１８に指示して、クライアントＰＣ１３０へ画像読取要求への受付応答を送信させる。
【００５１】
制御部２１７は、実施の形態１における制御部１１７と同様の処理を行う他、電力供給部１１４から複合機２１０を構成する各部への電力の供給及び供給停止を制御するとともに、当該各部の節電状態への移行及び節電状態からの復帰を制御する。
【００５２】
（動作の説明）
【００５３】
図７は、実施の形態２に係る画像読取システム１００での処理を示すシーケンス図である。図７のシーケンス図は、複合機２１０内での処理を簡単に説明するため、複合機２１０内の６つの部分だけを表している。
【００５４】
まず、クライアントＰＣ１３０において、オペレータが操作部１３９にＰｕｌｌスキャンの実行を指示する操作を入力すると（Ｓ６０）、操作部１３９は、プログラム制御部１３７に、そのような操作の入力があったことを通知する。
【００５５】
プログラム制御部１３７は、要求部１３４に、画像読取要求の生成と送信を指示する。このような指示を受けた要求部１３４は、画像読取要求を生成し、通信部１３１に指示して、これを複合機２１０へと送信させる（Ｓ６１）。そして、通信部１３１が画像読取要求を送信した後、プログラム制御部１３７は、時計部１３６に計時を開始させる（Ｓ６２）。
【００５６】
画像読取要求を受信した複合機２１０では、通信部１１８が画像読取要求を要求解析部２１９に送り、要求解析部２１９がこの要求を解析する。要求解析部２１９は、受信された要求が画像読取要求であることを検出すると、制御部２１７に画像読取の開始を要求する（Ｓ６３）。
【００５７】
このような要求を受けた制御部２１７は、節電状態管理部２１５に画像読取部１１１の節電状態を取得する節電状態取得要求を行う（Ｓ６４）。この時、複合機２１０は、節電状態にあり、画像読取部１１１への電力供給は遮断された状態にあるものとする。このため、節電状態管理部２１５は、その応答として画像読取部１１１が節電状態にあることを制御部２１７に通知する（Ｓ６５）。
【００５８】
画像読取部１１１が節電状態であった場合、制御部２１７は、画像読取の開始要求を行う前に、電力供給部１１４に画像読取部１１１への電力供給の開始を指示する（Ｓ６６）。このような指示を受けた電力供給部１１４は、画像読取部１１１への電力供給を開始する（Ｓ６７）。
【００５９】
次に、制御部２１７は、画像読取部１１１へ、画像読取を実行可能な通常待機状態に復帰するように指示する（Ｓ６８）。電力が供給され、通常待機状態への復帰を指示された画像読取部１１１は、初期化処理等を行い、画像読取が実行可能な通常待機状態に復帰する。そして、画像読取部１１１は、復帰が完了したら制御部２１７へ復帰応答を行う（Ｓ６９）。復帰応答を受けた制御部２１７は、画像読取部１１１へ画像読取の開始を指示する（Ｓ７０）。
【００６０】
画像読取の開始指示を受けた画像読取部１１１は、既にステップＳ６８の復帰指示を受けて、通常待機状態に復帰しているため、通常通り原稿の読み取りを行う。読み取られた画像データは、画像処理部１１２で所望する形式に変換及び加工された後、出力画像データとして出力データメモリ１１３に格納される。なお、画像読取部１１１は、画像データの読み取りが完了すると、制御部２１７に出力画像データの生成が開始されたことを通知する（Ｓ７１）。出力画像データの生成が開始されたことを通知された制御部２１７は、要求解析部２１９に出力画像データの生成が開始されたことを通知する（Ｓ７２）。
【００６１】
ここで、ステップＳ６３で制御部２１７に画像読取開始要求を伝えた要求解析部２１９は、時計部１１６に時間計測を開始させる。そして、要求解析部２１９は、予め定められた時間が経過した場合（Ｓ７３）には、応答部１２０にクライアントＰＣ１３０へ画像読取要求に対する受付応答を返すように指示する。このような指示を受けた応答部１２０は、画像読取要求に対する受付応答を生成し、通信部１１８に、生成された受付応答をクライアントＰＣ１３０へ送信するように指示する。このような指示を受けた通信部１１８は、その受付応答をクライアントＰＣ１３０に送信する（Ｓ７４）。
【００６２】
画像読取要求に対する受付応答を受信したクライアントＰＣ１３０では、通信部１３１が受信された受付応答を応答処理部１３５に与える。応答処理部１３５は、画像読取要求が複合機２１０に受け付けられたことをプログラム制御部１３７に通知する。プログラム制御部１３７は、このような通知を予め定められた応答タイムアウト時間内に受けた場合には、タイムアウトが発生したと判断せずに、時計部１３６での計時を終了させる（Ｓ７５）。また、このような通知を受けたプログラム制御部１３７は、画像データの取得要求を行うように、要求部１３４に指示する。このような指示を受けた要求部１３４は、画像データ取得要求を生成し、生成された画像データ取得要求を複合機２１０へ送信するよう、通信部１３１に指示する。このような指示を受けた通信部１３１は、画像データ取得要求を複合機２１０に送信する（Ｓ７６）。そして、通信部１３１が画像データ取得要求を送信した後、プログラム制御部１３７は、時計部１３６に計時を開始させる（Ｓ７７）。
【００６３】
画像データ取得要求を受信した複合機２１０は、通信部１１８が受信された画像データ取得要求を要求解析部２１９に与える。要求解析部２１９は、受け取られた要求を解析して、受け取られた要求が画像データ取得要求であることを検出すると、出力画像データの生成が開始されたことの通知を受けるまで待機する。そして、ステップＳ７２で、そのような通知を受けると、要求解析部２１９は、応答部１２０に出力画像データの送信を指示する。このような指示を受けた応答部１２０は、出力データメモリ１１３から出力画像データを読み出して、通信部１１８にその出力画像データをクライアントＰＣ１３０へ送信するように指示する。このような指示を受けた通信部１１８は、クライアントＰＣ１３０へ出力画像データを送信する（Ｓ７８）。
【００６４】
出力画像データを受信したクライアントＰＣ１３０では、通信部１３１が受信された出力画像データを応答処理部１３５に与える。応答処理部１３５は、受け取った出力画像データを記憶部１３２に保存し、応答画像データを受信したことをプログラム制御部１３７に通知する。プログラム制御部１３７は、このような通知を予め定められた応答タイムアウト時間内に受けた場合には、タイムアウトが発生したと判断せずに、時計部１３６での計時を終了させる（Ｓ７９）。
【００６５】
実施の形態２に係る複合機２１０によれば、要求解析部２１９が制御部２１７へ画像読取の開始を要求した後に、応答部１２０に画像読取要求に対する受付応答を返すように指示するまでの一定の待機時間を適正に設定することで、複合機２１０が節電状態にあり、画像読取部１１１への電力供給が遮断された状態で、複合機２１０がクライアントＰＣ１３０から画像読取要求を受けた場合でも、クライアントＰＣ１３０のプログラム制御部１３７が出力画像データの受信を待ちきれずにタイムアウトしてしまうことを抑制することができる。
【００６６】
以下の説明では、意図的な待機時間や、節電状態からの復帰にかかる時間及び画像読取開始から画像データが出力されるまでの所要時間等の比較的長時間かかる処理と比較して、複合機２１０内における各部間の指示及び通知処理にかかる時間、並びに、クライアントＰＣ１３０と複合機２１０と間の要求及び応答の伝達時間等は、微小時間であるとして考慮しない。
図７に示されているフロー図によれば、節電状態解除処理時間Ｔｒ２と通常の読取所要時間Ｔｃ２の合計が、プログラム制御部１３７における応答待ちタイムアウト時間Ｔｔ２を越える場合（Ｔｔ２＜Ｔｒ２＋Ｔｃ２）に、一定の待機時間Ｔｗを設けないと（Ｔｗ＝０）、ステップＳ７６における画像データ取得要求からステップＳ７８における出力画像データの受信までの間に、クライアントＰＣ１３０のプログラム制御部１３７では、タイムアウトが発生する可能性がある。しかしながら、待機時間Ｔｗが、例えば、下記の（１）式を満たすように設定されていれば、タイムアウトを防ぐことができる。
Ｔｗ＋Ｔｔ２＞Ｔｒ２＋Ｔｃ２                    ・・・（１）
【００６７】
但し、待機時間Ｔｗを長くし過ぎると、ステップＳ６１における画像読取要求から、ステップＳ７４における受付応答を受けるまでの間にタイムアウトが発生してしまうので、下記の（２）式が満たされるのが必須条件である。
Ｔｔ２＞Ｔｗ                    ・・・（２）
【００６８】
さらに、実施の形態２では、要求解析部２１９は、画像読取要求を受けた時点で、画像読取部１１１が節電状態にあるかどうかを意識していない。このため、要求解析部２１９は、画像読取部１１１が節電状態であるかどうかに関わらず、画像読取要求を処理する際に一定時間待機することになるが、待機時間Ｔｗを通常の読取所要時間Ｔｃ２よりも短くなるように設定することで、画像読取部１１１が非節電状態である場合、言い換えると、節電状態解除処理時間Ｔｒ２が発生しない場合でも、クライアントＰＣ１３０が画像データ取得要求を送信してから出力画像データを受け取るまでの所要時間に影響はなく、通常の読取所要時間Ｔｃ２のみとなるので、全体的な応答速度の低下には繁がらない。
【００６９】
また、実施の形態２に係る複合機２１０の利点として、節電状態解除処理時間Ｔｒ２が、クライアント端末１３０の応答待ちタイムアウト時間Ｔｔ２よりも長い場合について説明する。
このような場合、実施の形態１に係る複合機１１０は、画像読取要求に対する応答を、画像読取部１１１の復帰処理を完了させてから行うため、クライアント端末１３０で応答タイムアウトが発生する。一方、実施の形態２に係る複合機２１０は、予め定められた待機時間Ｔｗを適切に設定すれば、画像読取要求に対する受付応答でも、画像データ取得要求に対する出力画像データの応答でも、クライアント端末１３０で応答タイムアウトが発生しないようにすることができる。この場合の待機時間Ｔｗの設定条件も、上記（１）式及び（２）式を満たすように設定されていればよい。
【００７０】
さらに、実施の形態２に係る複合機２１０のさらなる利点として、通常の読取所要時間Ｔｃ２が、クライアント端末１３０の応答待ちタイムアウト時間Ｔｔ２よりも長い場合について説明する。
このような場合、実施の形態１に係る複合機１１０は、画像データ取得要求に対する応答として出力画像データを受信する前に、応答待ちタイムアウトが発生する。一方、実施の形態２に係る複合機２１０は、予め定められた待機時間Ｔｗを適切に設定すれば、画像読取要求に対する受付応答でも、画像データ取得要求に対する出力画像データの応答でも、クライアント端末１３０で応答タイムアウトが発生しないようにすることができる。この場合の待機時間Ｔｗの設定条件も、上記（１）式及び（２）式を満たすように設定されていればよい。この利点は、画像読取部１１１が節電状態にあるか否かにかかわらず有効である。
【００７１】
以上に記載された実施の形態２では、要求解析部２１９で計測される待機時間は一定のものとして予め設定されているが、このような例に限定されるものではない。例えば、複合機２１０の要求解析部２１９が、クライアントＰＣ１３０から応答タイムアウト時間を取得して、上述した（１）式及び（２）式を満たすように、待機時間Ｔｗを特定してもよい。このような場合、節電状態解除処理時間Ｔｒ２及び通常の読取所要時間Ｔｃ２は、要求解析部２１９が、時計部１１６を用いて実際に計測した値（例えば、予め定められた回数若しくは時間における平均値、又は、直前に計測された値）等が用いられればよい。ここで、通常の読取所要時間Ｔｃ２については、読取解像度、原稿をカラーで読み込むか又はモノクロで読み込むか、及び、読み込み枚数等の設定で異なるため、要求解析部２１９は、予め定められた読取設定毎に、通常の読取所要時間Ｔｃ２の値を保持しておき、待機時間Ｔｗを特定してもよい。また、要求解析部２１９は、予め定められた読取設定毎に、待機時間Ｔｗが予め設定されていてもよい。
【００７２】
また、要求解析部２１９は、例えば、読み取り解像度等予め定められたパラメータに従って、上述した（１）式及び（２）式に重み値を乗算して、待機時間Ｔｗを特定してもよい。
例えば、要求解析部２１９は、（１）式の代わりに、下記の（３）式を用いて待機時間Ｔｗを特定してもよい。
Ｔｗ＋Ｔｔ２＞Ｔｒ２＋Ｔｃ２×Ｃｏ                    ・・・（３）
ここで、Ｃｏは、画像読取部１１１が読み取りを行う際の設定に応じて予め定められた重み係数である。ここで、Ｃｏの値は、予め定められたパラメータが通常の読み取り所要時間Ｔｃ２を長くするものであるほど、大きな値となる。
【００７３】
以上に記載された実施の形態１及び２では、デバイス毎に電力供給を遮断して節電状態とすることができることを示すために、画像形成部１２２及びＦＡＸ部１２３を備える複合機１１０、２１０を説明したが、このような例に限定されるものではない。本発明は、画像読取機能だけを備える、言い換えると、画像形成機能及びファクシミリ通信機能等を備えていない画像読取装置（例えば、スキャナ）にも適用することができる。また、本発明は、画像読取部１１１及び画像形成部１２２を備える画像形成装置であってもよく、また、画像読取部１１１及びＦＡＸ部１２３を備えるファクシミリ装置であってもよい。
【００７４】
以上に記載された実施の形態１及び２では、情報処理装置としてクライアントＰＣ１３０を例に説明を行ったが、このような例に限定されるものではない。例えば、情報処理装置は、節電機能があり、画像読取機能を持つ装置に対して、外部から画像読取要求及び画像データ取得要求を発信することができるとともに、その装置から応答として受付応答及び出力画像データを受け取る機能を備えるものであれば、携帯端未等、どの様な装置であってもよい。
【００７５】
以上に記載された実施の形態１及び２では、複合機１１０、２１０及びクライアントＰＣ１３０は、ネットワーク１５０を介して、接続されているが、このような例に限定されるものではない。例えば、これらは、ＵＳＢ、各種無線通信等を介して接続されていてもよい。
【符号の説明】
【００７６】
１００，２００  画像読取システム、  １１０，２１０  複合機、  １１１  画像読取部、  １１２  画像処理部、  １１３  出力データメモリ、  １１４  電力供給部、  １１５，２１５  節電状態管理部、  １１６  時計部、  １１７，２１７  制御部、  １１８  通信部、  １１９，２１９  要求解析部、  １２０  応答部、  １２１  操作パネル、  １２１ａ  入力部、  １２１ｂ  表示部、  １２２  画像形成部、  １２３  ＦＡＸ部、  １３０  クライアントＰＣ、  １３１  通信部、  １３２  記憶部、  １３３  制御部、  １３４  要求部、  １３５  応答処理部、  １３６  時計部、  １３７  プログラム制御部、  １３８  表示部、  １３９  操作部。
【図１】
2014230070.tif 000003
【図２】
2014230070.tif 000004
【図３】
2014230070.tif 000005
【図４】
2014230070.tif 000006
【図５】
2014230070.tif 000007
【図６】
2014230070.tif 000008
【図７】
2014230070.tif 000009